(57)【特許請求の範囲】
【請求項１】
耐震性の吊り天井構造体の下面に取付けた天レールとフロア構造体に敷設した地レールとの間に、複数の支柱を所定間隔で立設し、該支柱間にパネル板を装着してパネル構造体を構築するとともに、所定の支柱間にドアパネルを支持するドア枠を配置し、該ドア枠にドアパネルの戸尻側をヒンジにて開閉可能に取付けてドア構造体を構築し、層間変位に対して前記支柱の上下端が前記天レールと地レールの変位に追従して該支柱が面内でロッキング変位可能としてなる高耐震性間仕切装置において、
前記ドア構造体は、前記ドア枠の両縦ドア枠を対応する支柱にそれぞれ上方変位可能に保持し、地震時に支柱がロッキングしても前記ドア枠及びドアパネルを介して一方の支柱から反対側の支柱に持ち上がり力が作用しないようにすべく、前記支柱の上下複数個所に上向きフックを備えた係止部材を固定するとともに、前記縦ドア枠に該係止部材の上向きフックを下方から受け入れる係合孔を備えた受け部材を固定してなり、前記係止部材の上向きフックに前記受け部材の係合孔が係合した状態で該縦ドア枠の上方への変位のみを許容し、水平変位を規制してなる係合構造としたことを特徴とする高耐震性間仕切装置。
【請求項２】
耐震性の吊り天井構造体の下面に取付けた天レールとフロア構造体に敷設した地レールとの間に、複数の支柱を所定間隔で立設し、該支柱間にパネル板を装着してパネル構造体を構築するとともに、所定の支柱間にドアパネルを支持するドア枠を配置し、該ドア枠にドアパネルの戸尻側をヒンジにて開閉可能に取付けてドア構造体を構築し、層間変位に対して前記支柱の上下端が前記天レールと地レールの変位に追従して該支柱が面内でロッキング変位可能としてなる高耐震性間仕切装置において、
前記ドア構造体は、前記ドア枠の両縦ドア枠を対応する支柱にそれぞれ上方変位可能に保持し、地震時に支柱がロッキングしても前記ドア枠及びドアパネルを介して一方の支柱から反対側の支柱に持ち上がり力が作用しないようにすべく、前記縦ドア枠の上下複数個所に下向きフックを備えた係止部材を固定するとともに、前記支柱に該係止部材の下向きフックを上方から受け入れる係合孔を備えた受け部材を固定してなり、前記係止部材の下向きフックが前記受け部材の係合孔に係合した状態で該縦ドア枠の上方への変位のみを許容し、水平変位を規制してなる係合構造としたことを特徴とする高耐震性間仕切装置。
【請求項３】
耐震性の吊り天井構造体の下面に取付けた天レールとフロア構造体に敷設した地レールとの間に、複数の支柱を所定間隔で立設し、該支柱間にパネル板を装着してパネル構造体を構築するとともに、所定の支柱間にドアパネルを支持するドア枠を配置し、該ドア枠にドアパネルの戸尻側をヒンジにて開閉可能に取付けてドア構造体を構築し、層間変位に対して前記支柱の上下端が前記天レールと地レールの変位に追従して該支柱が面内でロッキング変位可能としてなる高耐震性間仕切装置において、
前記ドア構造体は、前記ドア枠の両縦ドア枠を対応する支柱にそれぞれ上方変位可能に保持し、地震時に支柱がロッキングしても前記ドア枠及びドアパネルを介して一方の支柱から反対側の支柱に持ち上がり力が作用しないようにすべく、前記縦ドア枠は前記支柱を受け入れる内部空間と該支柱の前後面に当接する縁板を備え、前記支柱の側面に、前記縦ドア枠の内部空間に位置して摺接する本体部と前記縁板を係止する係止部を備えたスライド部材を取付け、前記縦ドア枠を支柱に外嵌保持した状態で該縦ドア枠の上方への変位のみを許容し、水平変位を規制してなる係合構造としたことを特徴とする高耐震性間仕切装置。
【請求項４】
前記ドア枠は、両側の縦ドア枠の上端間に上ドア枠を連結した正面視倒コ字形であり、前記両縦ドア枠の下端を、フロア構造体に直接固定した保持金具に、あるいはフロア構造体に敷設した地レールの端部に連結した保持金具に、上下スライド可能に嵌挿してなる請求項１〜３何れか１項に記載の高耐震性間仕切装置。
【請求項５】
前記受け部材は断面略コ字形であり、該受け部材の上面と下面にそれぞれ前記係合孔を形成してなる請求項１又は２記載の高耐震性間仕切装置。
【請求項６】
前記支柱に対する前記縦ドア枠の上方変位許容値は、層間変形角１／４０に対応する支柱の傾斜変位を吸収可能な値に設定している請求項１〜５何れか１項に記載の高耐震性間仕切装置。
【発明の詳細な説明】
【技術分野】
【０００１】
本発明は、高耐震性間仕切装置に係わり、更に詳しくは地震時に大きな層間変位が生じてもドアが損傷することがない高耐震性間仕切装置に関するものである。
【背景技術】
【０００２】
通常、オフィスビル等は、複数のスラブで各階が形成され、上スラブの下面側には吊り天井構造体が構築され、下スラブの上面側にはフロア構造体が構築され、構造壁で囲まれた空間を間仕切装置で適宜に区画されている。通常、吊り天井構造体は、上スラブから垂下した吊支部材（吊りボルト）によって、縦横に張り巡らした天井支持レールを吊下げ状に保持し、該天井支持レールに天井パネルの周囲を係止する構造である。このような吊り天井構造体を有する室内に天井パネルからフロア構造体にわたって、間仕切パネルやドアパネルを組み合わせた間仕切装置を設置する。従来、吊り天井構造体に対する耐震基準はなかったが、東日本大震災によって多くの吊り天井構造体が落下し、破損したことを受けて、天井の耐震性を高める機運が高まってきた。このような間仕切装置においても、層間変形角が１／６０〜１／４０、震度７、天井面加速度が２．２Ｇに耐えることが必要と考えられる。
【０００３】
一般に、間仕切装置は、吊り天井構造体の下面に取付けた天レールとフロア構造体の上面に取付けた地レールとの間に、複数の支柱を所定間隔毎に立設するとともに、支柱間にそれぞれパネル板を装着して複数の支柱とパネル板が一連化したパネル構造体を形成するとともに、適所の支柱間にドアを設ける。通常、特許文献１〜３に記載されているように、天レールと地レール間に立設した支柱間に、両縦ドア枠と上ドア枠からなる倒コ字形のドア枠を取付けるとともに、ドア枠にドアパネルを開閉可能に取付けてドア構造体を構成している。ここで、特許文献１では、縦ドア枠の一側面を、パネル構造体を構成する支柱に外嵌するとともに、縦ドア枠の下端を床面に固定した地レールの端部に固定している。一方、特許文献２では、縦ドア枠の一側面を、パネル構造体を構成する支柱に連結具を用いて連結している。特許文献３では、支柱と縦ドア枠の対向面側に係止孔を形成し、それぞれに係止具を係止するとともに、縦ドア枠の上端にネジ止め連結した上ドア枠を天レールに外嵌して縦ドア枠の上動を規制して保持する構造である。しかし、特許文献１〜３に記載された構造は、地震時に層間変位によって支柱が傾斜すること想定したものではなく、耐震性が十分とは言えないものである。
【０００４】
通常、縦ドア枠は支柱に外嵌した状態で支柱にネジ止めして一体化している構造が最も一般的である。このようなドア構造では、地震時にドア構造体に連続する他の高耐震性のパネル構造体に悪影響を及ぼし、パネル構造体自体の耐震性を損なうことになる。これらの地震時のドア構造体及びパネル構造体の動作を図１８〜図２０に基づいて説明する。天レール１０１と地レール１０２との間に所定間隔で支柱１０３，…を立設し、上下スラブの層間変位に対してパネル構造体を構成する支柱１０３は、左右に傾斜してロッキング状態になる。そのような支柱１０３のロッキングに対して、該支柱１０３にパネル板１０４を係止する係止具（図示せず）のフック部分の係合深さを十分に確保し、支柱１０３が傾斜した際に、一側の係止具を支点としてパネル板１０４の他側が支柱１０３に対して上動することを許容し、それでも他側の係止具が支柱１０３から外れずあるいは係止具からパネル板１０４が外れず、もって当該パネル板１０４が脱落しないようになっている。
【０００５】
図１８において、ドア枠１０５にドアパネル１０６がヒンジにて開閉可能に支持され、ドア枠１０５の両縦ドア枠１０７，１０７は対応する支柱１０３にネジ止めされ、両縦ドア枠１０７，１０７の上端に上ドア枠１０８が連結された構造である。先ず、図１９に示すように、支柱１０３が左側に傾斜した場合、ドアパネル１０６は戸尻側（ヒンジ側）を支点として右側が持ち上がり、ドア枠１０５に接触した後は、ドア枠１０５を介して右側の支柱１０３を持ち上げる。すると、当該支柱１０３に係止されたパネル板１０４は、左側の該支柱１０３に対する係止部を支点として右側が持ち上がり、当該パネル板１０４の右側は、対応する支柱１０３に対して他のパネル板１０４よりも大きく持ち上がり、係止具による係止が外れて該支柱１０３から脱落する可能性が高くなる。逆に、図２０に示すように、支柱１０３が右側へ傾斜した場合、ドアパネル１０６は戸先側（遊端側）が下がって床面に接触した後、ドア枠１０５に対してドアパネル１０６が変位し、ドア枠１０５に接触した後は、戸先側の下端を支点としてドア枠１０５を介して左側の支柱１０３を持ち上げる。すると、当該支柱１０３に係止されたパネル板１０４は、右側の該支柱１０３に対する係止部を支点として左側が持ち上がり、当該パネル板１０４の左側は、対応する支柱１０３に対して他のパネル板１０４よりも大きく持ち上がり、係止具による係止が外れて該支柱１０３から脱落する可能性が高くなる。このように、ドアパネル１０６と床面との間のクリアランスによる違いはあるが、左右の傾斜によってドア構造体に隣接するパネル板１０４は、二段階の持ち上げ作用によって支柱１０３から脱落する恐れが生じる。
【先行技術文献】
【特許文献】
【０００６】
【特許文献１】特開平８−２３２３７２号公報
【特許文献２】特開２００５−２９０８７８号公報
【特許文献３】特開２００１−１５９２７８号公報
【発明の概要】
【発明が解決しようとする課題】
【０００７】
地震時の層間変位を考慮した高耐震構造のパネル構造体でも、耐震性能試験によってドア構造体に隣接するパネル板が脱落する現象が発生した。この現象を追究したところ、図１８〜図２０に示すように、ドア枠を構成する縦ドア枠が支柱にネジ止め固定されていることが、ドア構造体に隣接するパネル板に想定外の持ち上げ作用を起こすことが原因であることを見出した。
【０００８】
そこで、本発明が前述の状況に鑑み、解決しようとするところは、高耐震性間仕切装置において、ドア枠とドアパネルからなるドア構造体の両側に位置する支柱に対して、ドア枠とドアパネルを介して相互に影響を及ぼさないようにして、地震時に大きな層間変位が生じても、ドア構造体に隣接するパネル板に二段階の持ち上げ作用が生じないようにした高耐震性間仕切装置を提供する点にある。
【課題を解決するための手段】
【０００９】
本発明は、前述の課題解決のために、耐震性の吊り天井構造体の下面に取付けた天レールとフロア構造体に敷設した地レールとの間に、複数の支柱を所定間隔で立設し、該支柱間にパネル板を装着してパネル構造体を構築するとともに、所定の支柱間にドアパネルを支持するドア枠を配置し、該ドア枠にドアパネルの戸尻側をヒンジにて開閉可能に取付けてドア構造体を構築し、層間変位に対して前記支柱の上下端が前記天レールと地レールの変位に追従して該支柱が面内でロッキング変位可能としてなる高耐震性間仕切装置において、前記ドア構造体は、前記ドア枠の両縦ドア枠を対応する支柱にそれぞれ上方変位可能に保持し、地震時に支柱がロッキングしても前記ドア枠及びドアパネルを介して一方の支柱から反対側の支柱に持ち上がり力が作用しないようにすべく、前記支柱の上下複数個所に上向きフックを備えた係止部材を固定するとともに、前記縦ドア枠に該係止部材の上向きフックを下方から受け入れる係合孔を備えた受け部材を固定してなり、前記係止部材の上向きフックに前記受け部材の係合孔が係合した状態で該縦ドア枠の上方への変位のみを許容し、水平変位を規制してなる係合構造としたことを特徴とする高耐震性間仕切装置を構成した（請求項１）。
【００１０】
また本発明は、耐震性の吊り天井構造体の下面に取付けた天レールとフロア構造体に敷設した地レールとの間に、複数の支柱を所定間隔で立設し、該支柱間にパネル板を装着してパネル構造体を構築するとともに、所定の支柱間にドアパネルを支持するドア枠を配置し、該ドア枠にドアパネルの戸尻側をヒンジにて開閉可能に取付けてドア構造体を構築し、層間変位に対して前記支柱の上下端が前記天レールと地レールの変位に追従して該支柱が面内でロッキング変位可能としてなる高耐震性間仕切装置において、前記ドア構造体は、前記ドア枠の両縦ドア枠を対応する支柱にそれぞれ上方変位可能に保持し、地震時に支柱がロッキングしても前記ドア枠及びドアパネルを介して一方の支柱から反対側の支柱に持ち上がり力が作用しないようにすべく、前記縦ドア枠の上下複数個所に下向きフックを備えた係止部材を固定するとともに、前記支柱に該係止部材の下向きフックを上方から受け入れる係合孔を備えた受け部材を固定してなり、前記係止部材の下向きフックが前記受け部材の係合孔に係合した状態で該縦ドア枠の上方への変位のみを許容し、水平変位を規制してなる係合構造としたことを特徴とする高耐震性間仕切装置を構成した（請求項２）。
【００１１】
また本発明は、耐震性の吊り天井構造体の下面に取付けた天レールとフロア構造体に敷設した地レールとの間に、複数の支柱を所定間隔で立設し、該支柱間にパネル板を装着してパネル構造体を構築するとともに、所定の支柱間にドアパネルを支持するドア枠を配置し、該ドア枠にドアパネルの戸尻側をヒンジにて開閉可能に取付けてドア構造体を構築し、層間変位に対して前記支柱の上下端が前記天レールと地レールの変位に追従して該支柱が面内でロッキング変位可能としてなる高耐震性間仕切装置において、前記ドア構造体は、前記ドア枠の両縦ドア枠を対応する支柱にそれぞれ上方変位可能に保持し、地震時に支柱がロッキングしても前記ドア枠及びドアパネルを介して一方の支柱から反対側の支柱に持ち上がり力が作用しないようにすべく、前記縦ドア枠は前記支柱を受け入れる内部空間と該支柱の前後面に当接する縁板を備え、前記支柱の側面に、前記縦ドア枠の内部空間に位置して摺接する本体部と前記縁板を係止する係止部を備えたスライド部材を取付け、前記縦ドア枠を支柱に外嵌保持した状態で該縦ドア枠の上方への変位のみを許容し、水平変位を規制してなる係合構造としたことを特徴とする高耐震性間仕切装置を構成した（請求項３）。
【００１２】
ここで、前記ドア枠は、両側の縦ドア枠の上端間に上ドア枠を連結した正面視倒コ字形であり、前記両縦ドア枠の下端を、フロア構造体に直接固定した保持金具に、あるいはフロア構造体に敷設した地レールの端部に連結した保持金具に、上下スライド可能に嵌挿してなることが好ましい（請求項４）。
【００１３】
前記受け部材は断面略コ字形であり、該受け部材の上面と下面にそれぞれ前記係合孔を形成してなることが好ましい（請求項５）。
【００１４】
更に、前記支柱に対する前記縦ドア枠の上方変位許容値は、層間変形角１／４０に対応する支柱の傾斜変位を吸収可能な値に設定していることがより好ましい（請求項６）。
【発明の効果】
【００１５】
以上にしてなる本発明の高耐震性間仕切装置は、耐震性の吊り天井構造体の下面に取付けた天レールとフロア構造体に敷設した地レールとの間に、複数の支柱を所定間隔で立設し、該支柱間にパネル板を装着してパネル構造体を構築するとともに、所定の支柱間にドアパネルを支持するドア枠を配置し、該ドア枠にドアパネルの戸尻側をヒンジにて開閉可能に取付けてドア構造体を構築し、層間変位に対して前記支柱の上下端が前記天レールと地レールの変位に追従して該支柱が面内でロッキング変位可能としてなる高耐震性間仕切装置において、前記ドア構造体は、前記ドア枠の両縦ドア枠を対応する支柱にそれぞれ上方変位可能に保持し、地震時に支柱がロッキングしても前記ドア枠及びドアパネルを介して一方の支柱から反対側の支柱に持ち上がり力が作用しないようにしたので、地震時の層間変位によって支柱が左右に大きく傾斜しても、ドア構造体の両側の支柱は、他方に対して一方が持ち上がることがなく、それにより当該支柱に係止したパネル板も設計どおりの高耐震性を発揮し、支柱から脱落することが無くなるのである。
【００１６】
請求項１又は２によれば、所定間隔で立設した支柱に対して、縦ドア枠を上方から落とし込み係合して支柱に対して上方変位可能且つ水平変位を規制して保持することができるので、施工性に優れているとともに、地震時にもドア構造体の保持構造が安定である。
【００１７】
請求項３によれば、スライド部材の支柱への取付位置に自由度があり、縦ドア枠の上下寸法に応じて設置個数を最適に調整することができ、縦ドア枠を当該スライド部材を介して支柱に保持した状態では、支柱に取付けたスライド部材に対して縦ドア枠をガタツキなくスライド可能に保持できる。
【００１８】
請求項４よれば、前記ドア枠は、両側の縦ドア枠の上端間に上ドア枠を連結した正面視倒コ字形であり、前記両縦ドア枠の下端を、フロア構造体に直接固定した保持金具に、あるいはフロア構造体に敷設した地レールの端部に連結した保持金具に、上下スライド可能に嵌挿してなるので、ドア枠を常に安定に保持することができるとともに、地震が治まった際に縦ドア枠の下端部を案内して初期位置に復帰させることができ、もってドアパネルをスムーズに開閉できる。
【００１９】
請求項５によれば、受け部材の上面と下面の係合孔に、係止部材のフックを同時に係合させて支持できる。
【００２０】
請求項６によれば、前記支柱に対する前記縦ドア枠の上方変位許容値は、層間変形角１／４０に対応する支柱の傾斜変位を吸収可能な値に設定しているので、層間変形角が１／４０の大きな地震時にも、ドア枠は、一方の縦ドア枠が対応する支柱に対して上方変位しても支柱から外れることがなく、ドア構造体を安定に保持できるのである。
【図面の簡単な説明】
【００２１】
【図１】本発明の高耐震性間仕切装置を示す部分正面図である。
【図２】本発明に係るドア構造体の概略斜視図である。
【図３】同じく支柱とドア枠の関係を示す分解正面図である。
【図４】同じく支柱とドア枠の関係を示す分解斜視図である。
【図５】同じく支柱と左側の縦ドア枠の関係を示す要部の分解斜視図である。
【図６】同じく支柱に左側の縦ドア枠を係止する状態を示す分解斜視図である。
【図７】同じく支柱に左側の縦ドア枠を係止する状態を示し、（ａ）は縦断正面図、（ｂ）は縦断平面図である。
【図８】同じく支柱に右側の縦ドア枠を係止する状態を示し、（ａ）は縦断正面図、（ｂ）は縦断平面図である。
【図９】ドア枠の上位に欄間パネルを取付ける構造を示す縦断側面図である。
【図１０】図１の状態から面内方向左側への層間変位が生じた場合の高耐震性間仕切装置の変化を示す部分正面図である。
【図１１】図１の状態から面内方向右側への層間変位が生じた場合の高耐震性間仕切装置の変化を示す部分正面図である。
【図１２】副ドアパネルを備えた本発明のドア装置を適用した高耐震性間仕切装置を示す部分正面図である。
【図１３】図１２の状態から面内方向左側への層間変位が生じた場合の高耐震性間仕切装置の変化を示す部分正面図である。
【図１４】図１２の状態から面内方向右側への層間変位が生じた場合の高耐震性間仕切装置の変化を示す部分正面図である。
【図１５】他の実施例における左側の縦ドア枠を係止する状態を示し、（ａ）は縦断正面図、（ｂ）は縦断平面図である。
【図１６】他の実施例における右側の縦ドア枠を係止する状態を示し、（ａ）は縦断正面図、（ｂ）は縦断平面図である。
【図１７】更に他の実施例を示し、（ａ）支柱に縦ドア枠を保持した状態の縦断平面図、（ｂ）はスライド部材の正面図、（ｃ）はスライド部材の側面図である。
【図１８】従来のドア構造体を適用した耐震性間仕切装置を示す部分正面図である。
【図１９】図１８の状態から面内方向左側への層間変位が生じた場合の耐震性間仕切装置の変化を示す部分正面図である。
【図２０】図１８の状態から面内方向右側への層間変位が生じた場合の耐震性間仕切装置の変化を示す部分正面図である。
【発明を実施するための形態】
【００２２】
次に、添付図面に示した実施形態に基づき、本発明を更に詳細に説明する。図１は本発明の高耐震性間仕切装置を示し、図２〜図１１は本発明の詳細を示し、図中符号１はパネル構造体、２はドア構造体、３は天レール、４は地レール、５は支柱、６はパネル板、７はドア枠、８はドアパネル、９は欄間パネルをそれぞれ示している。
【００２３】
本発明に係る高耐震性間仕切装置は、パネル構造体１とドア構造体２とを連設したものであり、図１に示すように、図示しない耐震性の吊り天井構造体の下面に取付けた天レール３と、図示しないフロア構造体に敷設した地レール４との間に、複数の支柱５，…を所定間隔で立設し、該支柱５，５間にパネル板６を装着してパネル構造体１を構築するとともに、所定の支柱５，５間にドアパネル８を支持するドア枠７を配置してドア構造体２を構築してなるものである。そして、本発明は、前記ドア枠７を前記支柱５，５に対して上方変位のみを許容して保持したことを特徴としている。
【００２４】
ここで、前記パネル構造体１には、ロッキング仕様とスライド仕様とがある。ロッキング仕様のパネル構造体１は、前記支柱５，５間を少なくとも横桟で一定間隔となるように連結するとともに、該支柱５の上端部は前記天レール３、該支柱５の下端部は前記地レール４の変位に追従可能とし、前記支柱５，５間にパネル板６を上方変位可能に係止具１０で係止し、上下スラブの層間変位に対して面内でロッキング変位可能としたものである。ここで、「ロッキング」とは、複数の支柱５，…が平行を保って左右に傾斜し、それに応じてパネル板６，…も左右に傾斜する動作を示している。本発明はこのロッキング仕様を前提としている。
【００２５】
因みに、スライド仕様のパネル構造体１は、前記支柱５の下端部に地レール４に沿った方向への移動を許容するスライド手段を設けるとともに、前記支柱５，５間を複数の補強部材（図示せず）で連結して剛性構造のフレームを構成し、前記支柱５，５間にパネル板６を装着し、上下スラブの層間変位又は平行変位に対して面内で天レール３と地レール４に対してスライド変位可能としたものである。ここで、「スライド」とは、天レールと地レールで案内されてその長手方向に移動することを意味する。
【００２６】
ここで、地震により建物の上スラブと下スラブに層間変位が生じると、壁面やコーナー支柱や適宜間隔で設けた補強用の支柱は左右に傾斜する。層間変形角を最大の１／４０とすれば、階高さ（スラブ間隔）が４２００ｍｍの場合、層間変位は１０５ｍｍとなり、スラブに追従して運動する耐震性の吊り天井構造体１の変位も１０５ｍｍとなる。つまり、標準的な天井高さ２８００ｍｍの天井が床面に対して片側１０５ｍｍ変位することを意味している。
【００２７】
更に詳しくは、前記高耐震性間仕切装置は、前記天レール３に対向して前記ドア構造体２を設ける位置を除き前記地レール４が敷設され、前記天レール３と地レール４間に所定間隔で支柱５，…が立設され、この支柱５，…を利用してパネル板６，…を表裏両面に係止具１０，…で係止してパネル構造体１を構築する。前記パネル板６は、図示しないがガラス板を枠体で保持されたガラスパネルであっても良い。
【００２８】
そして、前記ドア枠７は、図１〜図４に示すように、両側の縦ドア枠１１，１１の上端間に上ドア枠１２を連結した正面視倒コ字形の形状である。前記縦ドア枠１１は、前記支柱５に外嵌するチャンネル形状であり、前記支柱５の略半分を凹溝内に受け入れた状態で、前記両縦ドア枠１１，１１の下端を、フロア構造体に直接固定した保持金具１３に、あるいはフロア構造体に敷設した地レール４の端部に連結した保持金具１３に、上下スライド可能に嵌挿する。更に、前記支柱５の上下複数個所に上向きフック１６を備えた係止部材１４，１５を固定するとともに、前記縦ドア枠１１，１１に該係止部材１４，１５の上向きフック１６を下方から受け入れる係合孔１８を備えた受け部材１７を固定してなり、前記係止部材１４，１５の上向きフック１６に前記受け部材１７の係合孔１８が係合した状態で該縦ドア枠の上方への変位のみを許容し、水平変位を規制してなる係合構造である。
【００２９】
前記支柱５は、図５及び図６に示すように、断面略Ｃ字形の汎用品であり、前後の面板１９，１９に係止具１０を係止する係止孔２０，…を二列で上下方向に一定間隔で形成してあり、両面板１９，１９は側面板２１で連続し、該側面板２１の反対側は開放されて凹溝２２が形成されている。本実施形態では、ドア構造体２の左側の支柱５は、凹溝２２側がドア空間に面し、右側の支柱５は側面板２１がドア空間に面するように配置している。
【００３０】
そのため、図５〜図７に示すように、左側の支柱５に取付ける前記係止部材１４は、凹溝２２内に位置し、側面板２１の内面に取付けるため、本体部２３の高さが高くなっている。前記係止部材１４の本体部２３は平面視コ字形に折曲形成したものであり、両板片の上端に前記上向きフック１６，１６を平行に一体形成した構造であり、本体部２３を前記側面板２１の内面にネジ止めした状態で前記上向きフック１６，１６が支柱５の凹溝２２から側方へ突出した位置になるようにしている。一方、図８に示すように、右側の支柱５に取付ける前記係止部材１５は、支柱５の側面板２１の外側に取付けるため、本体部２３の高さは低くなっている。前記係止部材１５を支柱５の側面板２１の外側にネジ止めした状態で、当該係止部材１５の上向きフック１６，１６は前記側面板２１の側方に近接した位置にあり、前記係止部材１４の上向きフック１６，１６が支柱５から突出した状態と一致する。尚、ドア構造体２の両側の支柱５，５の向きを反対向きにすれば、即ち両支柱５，５の凹溝２２，２２がドア空間に向いた場合には、左右両方とも前記係止部材１４を取付け、両支柱５，５の側面板２１，２１がドア空間に向いた場合には、左右両方とも前記係止部材１５を取付ける。
【００３１】
前記受け部材１７は、図５〜図８に示すように、断面コ字形の支持台２４の上下に前記縦ドア枠１１の内部にスポット溶接するための固定板２５，２５を折曲形成し、前記支持台２４の平行な上面２６と下面２７にそれぞれ前記上向きフック１６，１６を受け入れる前記係合孔１８，１８を平行に形成している。
【００３２】
前記縦ドア枠１１は、前記支柱５の断面寸法よりも大きく、該支柱５の略半分を嵌合状態で受け入れることが可能な一側に開放した内部空間２８を有するとともに、開放側の両端縁を対向する内側に折曲形成した縁板２９，２９を有し、外側面の前後一側端に沿って戸当り用の突台３０を全長に形成したものである。左右の縦ドア枠１１，１１は対称形となっている。また、上ドア枠１２の両端は、前記縦ドア枠１１，１１の上端にネジで連結できるようになっている。
【００３３】
そして、両側の支柱５，５にそれぞれ上下所定位置に複数の係止部材１４，１５をネジ止めした状態で、該支柱５の下端に装着したアジャスター３１を前記地レール４の上向き開放の凹溝内に立設するとともに、上端部を下向き開放の前記天レール３に嵌合し、図２に示すように、支柱５の上下端を天レール３と地レール４にそれぞれ一本のネジ３２で連結している。このネジ止めは必ずしも必要ではないが、ロッキング動作を妨げず、ドア構造体２の位置安定性に効果がある。
【００３４】
そして、図３及び図７に示すように、左側の支柱５に取付けた前記係止部材１４の上向きフック１６，１６に、左側の前記縦ドア枠１１に固定した受け部材１７の下面２７の係合孔１８，１８から落とし込み係合させ、上面２６の係合孔１８，１８も同時に係合させると同時に、下端を前記保持金具１３に上下スライド可能に外嵌する。この状態で、前記支柱５の略半分が縦ドア枠１１の内部空間２８に収容され、前記保持金具１３は完全に内部空間２８内に隠れる。同様に、図３及び図８に示すように、右側の支柱５に取付けた前記係止部材１５の上向きフック１６，１６に、右側の前記縦ドア枠１１に固定した受け部材１７の下面２７の係合孔１８，１８から落とし込み係合させ、上面２６の係合孔１８，１８も同時に係合させると同時に、下端を前記保持金具１３に上下スライド可能に外嵌する。ここで、前記受け部材１７の下面２７が、前記係止部材１４，１５の本体部２３に当止されて、それ以上の縦ドア枠１１の下方移動が規制される。また、本実施形態では、前記縦ドア枠１１の下端部に上向きフック１６，１６の係合には使用しない受け部材１７を固定しておき、前記支柱５へ装着した際に、該受け部材１７の下面２７を前記保持金具１３に当止するようにしている。
【００３５】
ここで、前記係止部材１４，１５の上向きフック１６，１６の係合深さは、支柱５が大きく傾斜しても受け部材１７の下面２７に形成した係合孔１８，１８から抜けないように設定し、本実施形態では上向きフック１６の上下寸法を６０ｍｍに設定している。
【００３６】
それから、図３〜図５に示すように、一方の縦ドア枠１１の下端に取付けたヒンジピン３３と、図３、図４及び図９に示すように、前記上ドア枠１２の一端部に取付けたヒンジ受け３４とに、前記ドアパネル８の戸尻側の上下端に設けたヒンジ受け（図示せず）とヒンジピン３５を回転可能に係合すると同時に、当該上ドア枠１２の両端を前記両縦ドア枠１１，１１の上端にネジ止め連結する。
【００３７】
尚、前記支柱５を断面略ロ字状、つまり四角筒状のものにすることも可能である。その場合には、前記支柱５の側面板２１の外側面に取付けるための高さが低い前記係止部材１５を両側の支柱５，５のドア空間側の面に取付ければ良い。
【００３８】
本実施形態のドア構造体２は、ドア枠７の上位に欄間パネル９を取付けているが、その取付構造を図９に示す。先ず、前記上ドア枠１２は、断面形状が前記縦ドア枠１１と同一であり、内部空間２８が上方に開放して取付けられている。そして、前記上ドア枠１２の両縁板２９，２９の間に所定幅の隙間Ｓ１を設けて横桟３６を配置し、その両端を両支柱５，５にＬ金具等を用いて連結している。前記欄間パネル９は、通常のパネル板６と同様な構造を有し、スチール製の表面板３７の裏面に石膏ボード等の芯材３８を接着し、下端縁には前記上ドア枠１２の縁板２９と横桟３６との隙間Ｓ１に挿入する係止片３９を折曲形成するとともに、上端縁に上縁板４０とその裏側に設けた受け板４１とで、前記天レール４の垂下板４２の下部を受け入れる上方開放したスリットＳ２を形成している。更に、前記欄間パネル９の両側には、表面板３７を裏側へ折曲し、該表面板３７と平行な裏板（図示せず）を形成し、該裏板に係止具１０を係止する係合孔（図示せず）を少なくとも上部に形成している。そして、前記支柱５の上部表裏両側の係止孔２０，２０に係止具１０を係止した状態で、前記欄間パネル９を斜め下方から持ち上げて、前記スリットＳ２に前記天レール３の垂下板４２の下部を挿入しながら、前記係止具１０の上向きフック片４３を図示しない両側上部の係合孔内に受け入れて垂直姿勢とし、それから下方へ下げて前記係止片３９を前記スリットＳ２に落とし込むと同時に、前記係止具１０に係止する。
【００３９】
このように構成した高耐震性間仕切装置の地震時の挙動を図１０及び図１１に基づいて説明する。先ず、図１０に示すように、支柱５が左側に傾斜した場合、ドアパネル８は戸尻側（ヒンジ側）を支点として右側が持ち上がり、ドア枠７に接触した後は、ドア枠７の右側の縦ドア枠１１を持ち上げるが、右側の支柱５は持ち上がらず、その位置で左側に傾斜するのみである。そして、各パネル板６，…は、左側の支柱５に対する係止部を支点として右側が持ち上がり、当該パネル板６の右側は、対応する右側の支柱５に対して持ち上がるが、その程度の持ち上がりは想定内であり、係止具１０による係止が外れることはない。逆に、図１１に示すように、支柱５が右側へ傾斜した場合、ドアパネル８は戸先側（遊端側）が下がって床面に接触した後、ドア枠７に対してドアパネル８が変位し、ドア枠７に接触した後は、戸先側の下端を支点としてドア枠７を介して左側の支柱１０３を持ち上げる。すると、当該支柱１０３に係止されたパネル板１０４は、右側の縦ドア枠１１を左側の支柱５に対して持ち上げるが、左側の支柱５は持ち上がらず、その位置で右側に傾斜するのみである。そして、各パネル板６，…は、右側の支柱５に対する係止部を支点として左側が持ち上がり、当該パネル板６の左側は、対応する左側の支柱５に対して持ち上がるが、その程度の持ち上がりは想定内であり、係止具１０による係止が外れることはない。
【００４０】
以上の実施形態では一枚のドアパネル８でドア構造体２を構成したが、ドアパネル８を主ドアパネル８Ａと副ドアパネル８Ｂとで構成することもある。図１２に示すように、左側に幅の広い主ドアパネル８Ａ、右側に幅の狭い副ドアパネル８Ｂを配置する場合もある。あるいは、同じ幅のドアパネルを左右に配置して両開きにする場合もある。この場合、前記主ドアパネル８Ａは左側の縦ドア枠１１にヒンジに開閉可能に取付け、前記副ドアパネル８Ｂは右側の縦ドア枠１１にヒンジに開閉可能に取付ける。そして、地震時の層間変位によって前記支柱５が左側へ傾斜した場合を図１３、右側へ傾斜した場合を図１４に示す。これらの場合の挙動は、図１０と図１１と略同じであるので、同一構成には同一符号を付して、その説明は省略する。
【００４１】
次に、図１５及び図１６に基づいて、本発明の他の実施例を説明する。本実施形態は、前述の実施形態における係止部材と受け部材の関係が逆転したものであり、前記縦ドア枠１１の上下複数個所に下向きフック４５を備えた係止部材４４を固定するとともに、前記支柱５に該係止部材４の下向きフック４５を上方から受け入れる係合孔を備えた受け部材４６，４７を固定してなり、前記係止部材４４の下向きフック４５が前記受け部材４６，４７の係合孔４８に係合した状態で該縦ドア枠１１の上方への変位のみを許容し、水平変位を規制してなる係合構造である。
【００４２】
本実施形態の前記係止部材４４は、前記係止部材１５と略同じ構造であり、左右の縦ドア枠１１，１で共通し、断面コ字形の本体部４９の両側片の下端に下方へ延びた下向きフック４５，４５を一体形成したものであり、前記縦ドア枠１１の内部空間２８内にスポット溶接して固定する。左側の支柱５の凹溝２２内に取付ける受け部材４６は、断面コ字形の支持台５０の上下に前記支柱５の側面板２１の内面にネジ止めするための固定板５１，５１を折曲形成し、前記支持台５０の平行な上面５２と下面５３にそれぞれ前記下向きフック４５，４５を受け入れる前記係合孔４８，４８を平行に形成している。右側の支柱５の凹溝２２内に取付ける受け部材４７は、前記受け部材４６より支持台５０の高さが低い形状であり、右側の支柱５の側面板２１の外面にネジ止めする。そして、各縦ドア枠１１に固定した係止部材４４の下向きフック４５，４５を、前記支柱５に取付けた受け部材４６，４７の上面５２に形成した係合孔４８，４８に上方から落とし込み係合し、下面５３の係合孔４８，４８まで貫通させて保持する。その他の構造は前記同様であるので、その説明は社略する。
【００４３】
最後に、図１７に基づいて本発明の更に他の実施例を説明する。本実施形態は、スライド部材５４を用いて支柱５に対して縦ドア枠１１を上下スライド可能に保持するものである。つまり、本実施形態は、前記縦ドア枠１は前記支柱５を受け入れる内部空間２８と該支柱５の前後面に当接する縁板２９，２９を備え、前記支柱５の側面に、前記縦ドア枠１１の内部空間２８に位置して摺接する本体部５５と前記縁板２９，２９を係止する係止部５６，５６を備えたスライド部材５４を取付け、前記縦ドア枠１１を支柱５に外嵌保持した状態で該縦ドア枠１１の上方への変位のみを許容し、水平変位を規制してなる係合構造である。具体的には、前記スライド部材５４は合成樹脂で一体成形したものであり、四角柱状の本体部５５の一側面側にバネ部５７，５７を介して前記係止部５６，５６を内外弾性出没可能に設け、前記本体部５５の両端部には前記支柱５の側面板２１の外面にネジ止めするための座ぐり孔５８，５８を形成したものである。本実施形態では、ドア構造体２の両側の支柱５，５はドア空間に向けて側面板２１を向けて立設することとする。
【００４４】
そして、前記支柱５の上下に複数の前記スライド部材５４，…を取付けるが、それには支柱５の側面板２１の外面に、両係止部５６，５６を水平に向けて本体部５５をネジ止めする。前記係止部５６，５６の支柱５の面板１９，１９から前後に突出した先端部は、前記縦ドア枠１１の両縁板２９，２９を受け入れることができるように湾曲面、若しくは傾斜面となっており、支柱５の側方から縦ドア枠１１を押し付けて外嵌することにより、前記係止部５６，５６が弾性的に変位して縦ドア枠１１の両縁板２９，２９が通過した後に復帰して該縁板２９，２９を係止する。この状態で、前記スライド部材５４の本体部５５は縦ドア枠１１の内部空間２８内で摺接するようになる。尚、前記縦ドア枠１１の下端は、床面に当接するのでそれ以上の下方変位は記載される。
【符号の説明】
【００４５】
１  パネル構造体、          ２  ドア構造体、
３  天レール、              ４  地レール、
５  支柱、                  ６  パネル板、
７  ドア枠、                ８  ドアパネル、
８Ａ  主ドアパネル、        ８Ｂ  副ドアパネル、
９  欄間パネル、            １０  係止具、
１１  縦ドア枠、            １２  上ドア枠、
１３  保持金具、            １４  係止部材、
１５  係止部材、            １６  上向きフック、
１７  受け部材、            １８  係合孔、
１９  面板、                ２０  係止孔、
２１  側面板、              ２２  凹溝、
２３  本体部、              ２４  支持台、
２５  固定板、              ２６  上面、
２７  下面、                ２８  内部空間、
２９  縁板、                ３０  突台、
３１  アジャスター、        ３２  ネジ、
３３  ヒンジピン、          ３４  ヒンジ受け、
３５  ヒンジピン、          ３６  横桟、
３７  表面板、              ３８  芯材、
３９  係止片、              ４０  上縁板、
４１  受け板、              ４２  垂下板、
４３  上向きフック片、      ４４  係止部材、
４５  下向きフック、        ４６  受け部材、
４７  受け部材、            ４８  係合孔、
４９  本体部、              ５０  支持台、
５１  固定板、              ５２  上面、
５３  下面、                ５４  スライド部材、
５５  本体部、              ５６  係止部、
５７  バネ部、              ５８  座ぐり孔、
Ｓ１  隙間、                Ｓ２  スリット、
１０１  天レール、          １０２  地レール、
１０３  支柱、              １０４  パネル板、
１０５  ドア枠、            １０６  ドアパネル、
１０７  縦ドア枠、          １０８  上ドア枠。
【図１】
0006443086.tif 000002
【図２】
0006443086.tif 000003
【図３】
0006443086.tif 000004
【図４】
0006443086.tif 000005
【図５】
0006443086.tif 000006
【図６】
0006443086.tif 000007
【図７】
0006443086.tif 000008
【図８】
0006443086.tif 000009
【図９】
0006443086.tif 000010
【図１０】
0006443086.tif 000011
【図１１】
0006443086.tif 000012
【図１２】
0006443086.tif 000013
【図１３】
0006443086.tif 000014
【図１４】
0006443086.tif 000015
【図１５】
0006443086.tif 000016
【図１６】
0006443086.tif 000017
【図１７】
0006443086.tif 000018
【図１８】
0006443086.tif 000019
【図１９】
0006443086.tif 000020
【図２０】
0006443086.tif 000021